(57)【要約】【課題】人が接触しても外部から内部が見えにくい間仕切装置を提供することができる。【解決手段】床面に配置される床部材と、プラスチックダンボール製であり、前記床部材が配置される側の反対側に位置する側面が上端部から下端部までハーフカットされてなる２つの折目部を有し、前記２つの折目部で折り曲げることにより前記床部材の一端部及び他端部の外縁を囲むように床面に配置される２つの壁部材と、プラスチックダンボール製であり、前記２つの壁部材間に形成される隙間を塞ぐように床面に配置され、前記床部材が配置されている側に位置する側面が上端部から下端部までハーフカットされてなる１つの折目部を有し、前記１つの折目部で折り曲げることにより開閉する２つの扉部材と、を備える間仕切装置。【選択図】図１
2019027129.tif 000002
【特許請求の範囲】
【請求項１】
床面に配置される床部材と、
プラスチックダンボール製であり、前記床部材が配置される側の反対側に位置する側面が上端部から下端部までハーフカットされてなる２つの折目部を有し、前記２つの折目部で折り曲げることにより前記床部材の一端部及び他端部の外縁を囲むように床面に配置される２つの壁部材と、
プラスチックダンボール製であり、前記２つの壁部材間に形成される隙間を塞ぐように床面に配置され、前記床部材が配置されている側に位置する側面が上端部から下端部までハーフカットされてなる１つの折目部を有し、前記１つの折目部で折り曲げることにより開閉する２つの扉部材と、を備える間仕切装置。
【発明の詳細な説明】
【技術分野】
【０００１】
本発明は間仕切装置に関する。
【背景技術】
【０００２】
避難所での使用を目的とした仕切り構造が提案されている（特許文献１参照）。
【先行技術文献】
【特許文献】
【０００３】
【特許文献１】特開２０１４−９２０１４号公報
【発明の概要】
【発明が解決しようとする課題】
【０００４】
上記従来の仕切り構造では、該仕切り構造に人が接触すると、第１連結部材による連結が緩んで第１仕切り部材同士の間に隙間が生じ、仕切り構造により仕切られた空間の外部から該空間の内部が見えてしまい、プライバシーを十分に保てない虞がある。
【課題を解決するための手段】
【０００５】
上記の課題は、例えば、次の手段により解決することができる。
【０００６】
床面に配置される床部材と、プラスチックダンボール製であり、前記床部材が配置される側の反対側に位置する側面が上端部から下端部までハーフカットされてなる２つの折目部を有し、前記２つの折目部で折り曲げることにより前記床部材の一端部及び他端部の外縁を囲むように床面に配置される２つの壁部材と、プラスチックダンボール製であり、前記２つの壁部材間に形成される隙間を塞ぐように床面に配置され、前記床部材が配置されている側に位置する側面が上端部から下端部までハーフカットされてなる１つの折目部を有し、前記１つの折目部で折り曲げることにより開閉する２つの扉部材と、を備える間仕切装置。
【発明の効果】
【０００７】
本発明の一実施態様によれば、人が接触しても外部から内部が見えにくい間仕切装置を提供することができる。
【図面の簡単な説明】
【０００８】
【図１】実施形態に係る間仕切装置を説明する模式的斜視図である。
【図２】床部材の模式的構成を示す図である。
【図３】壁部材の模式的構成を示す図である。
【図４】扉部材の模式的構成を示す図である。
【図５Ａ】実施形態に係る間仕切装置の組み立て方法を説明する模式的斜視図である。
【図５Ｂ】実施形態に係る間仕切装置の組み立て方法を説明する模式的平面図図である。
【図６Ａ】実施形態に係る間仕切装置の組み立て方法を説明する模式的斜視図である。
【図６Ｂ】実施形態に係る間仕切装置の組み立て方法を説明する模式的平面図図である。
【図７Ａ】実施形態に係る間仕切装置の組み立て方法を説明する模式的斜視図である。
【図７Ｂ】実施形態に係る間仕切装置の組み立て方法を説明する模式的平面図図である。
【図８Ａ】実施形態に係る間仕切装置の組み立て方法を説明する模式的斜視図である。
【図８Ｂ】実施形態に係る間仕切装置の組み立て方法を説明する模式的平面図図である。
【図９Ａ】実施形態に係る間仕切装置の組み立て方法を説明する模式的斜視図である。
【図９Ｂ】実施形態に係る間仕切装置の組み立て方法を説明する模式的平面図図である。
【図１０】扉部材と壁部材を位置合わせする方法の一例を示す模式的斜視図である。
【図１１Ａ】扉部材と壁部材を留め具で固定する場合の一例を示す模式的斜視図である。
【図１１Ｂ】留め具の利用例を示す模式的斜視図である。
【図１２Ａ】実施形態に係る間仕切装置の配置例を示す模式的斜視図である。
【図１２Ｂ】実施形態に係る間仕切装置の配置例を示す模式的斜視図である。
【図１２Ｃ】実施形態に係る間仕切装置の配置例を示す模式的斜視図である。
【図１３Ａ】実施形態に係る間仕切装置の他の配置例を示す模式図である。
【図１３Ｂ】実施形態に係る間仕切装置の他の配置例を示す模式図である。
【発明を実施するための形態】
【０００９】
［実施形態に係る間仕切装置１］
図１は実施形態に係る間仕切装置を説明する模式的斜視図である。図１に示すように、実施形態に係る間仕切装置１は、床面に配置される床部材１０と、プラスチックダンボール製であり、床部材１０が配置される側の反対側に位置する側面が上端部から下端部までハーフカットされてなる２つの折目部２６、２８を有し、２つの折目部２６、２８で折り曲げることにより床部材１０の一端部及び他端部の外縁を囲むように床面に配置される２つの壁部材２２、２４と、プラスチックダンボール製であり、２つの壁部材２２、２４間に形成される隙間を塞ぐように床面に配置され、床部材１０が配置される側に位置する側面が上端部から下端部までハーフカットされてなる１つの折目部３６を有し、１つの折目部３６で折り曲げることにより開閉する２つの扉部材３２、３４と、を備える間仕切装置１である。以下、詳細に説明する。
【００１０】
（間仕切装置１）
間仕切装置１は、簡単に設置しコンパクトに収納することができるため、特に災害時に避難所となる体育館や公民館などでの使用に適している。壁部材２２、２４の寸法は例えば横２０００ｍｍ以上２５００ｍｍ以下、高さ１０００ｍ以上１５００ｍｍ以下であり、特に、横２２００ｍｍ・高さ１２００ｍｍであることが好ましい。また、扉部材３２、３４の寸法は、例えば横１０００ｍｍ以上１４００ｍｍ以下、高さ１０００ｍ以上１５００ｍｍ以下であり、特に、横１１００ｍｍ（第１面の横寸法５００ｍｍ＋第２面の横寸法６００ｍｍ）・高さ１２００ｍｍであることが好ましい。また、床部材１０の寸法は、例えば横１８００ｍｍ以上２２００ｍｍ以下、縦１０００ｍ以上１５００ｍｍ以下であり、特に、横２０００ｍｍ・縦１２００ｍｍであることが好ましい。
【００１１】
（床部材１０）
図２は床部材１０の模式的構成を示す図である。床部材１０は床面に配置される。床部材１０には例えばプラスチックダンボール製の部材を用いることができる。床部材１０は下面と上面を有し、下面を床面に向けて床面に設置される。
【００１２】
床部材１０は、上面及び下面の一方にハーフカットされてなる２つの折目部１２、１４（山折り部）を有し、上面及び下面の他方にハーフカットされてなる１つの折目部１６（谷折り部）を有することが好ましい。このようにすれば、床部材１０を４つ折りに折りたたみ、コンパクトに収容することができる。
【００１３】
（２つの壁部材２２、２４）
図３は壁部材の模式的構成を示す図である。２つの壁部材２２、２４は、プラスチックダンボール製である。また、２つの壁部材２２、２４は、床部材１０が配置される側の反対側に位置する側面が上端部から下端部までハーフカットされてなる２つの折目部２６、２８を有する。２つの壁部材２２、２４は、２つの折目部２６、２８で折り曲げることにより床部材１０の一端部及び他端部の外縁を囲むように床面に配置される。２つの壁部材２２、２４は床部材１０に対し例えば面ファスナーなどの固定部材で着脱自在に固定されてもよい。
【００１４】
２つの壁部材２２、２４は、２つの折目部２６、２８の間に、床部材１０が配置される側に位置する側面が上端部から下端部までハーフカットされてなる１つの折目部２７を有することが好ましい。このようにすれば、各壁部材２２、２４を４つ折りに折りたたみ、コンパクトに収容することができる。
【００１５】
（２つの扉部材３２、３４）
図４は扉部材の模式的構成を示す図である。２つの扉部材３２、３４は、プラスチックダンボール製である。２つの扉部材３２、３４は、２つの壁部材２２、２４間に形成される隙間を塞ぐように配置される。２つの扉部材３２、３４は、床部材１０が配置される側に位置する側面が上端部から下端部までハーフカットされてなる１つの折目部３６を有する。２つの扉部材３２、３４は、１つの折目部３６で折り曲げることにより開閉する。各扉部材３２、３４は、その一端部と他端部が、壁部材２２、２４の端部に着脱自在に固定される。各扉部材３２、３４は２つ折りに折りたたみ、コンパクトに収容することができる。
【００１６】
以上説明した壁部材２２、２４や扉部材３２、３４には１つまたは複数の貫通孔Ｘを設けることが好ましい。このようにすれば、図１０に示すように、扉部材３２、３４を壁部材２２、２４に着脱自在に固定するにあたり、扉部材３２、３４と壁部材２２、２４の位置合わせを容易に行うことができる。このような貫通孔Ｘは壁部材２２、２４や扉部材３２、３４の上側と下側の双方に設けられることが好ましい。このようにすれば、より一層、扉部材３２、３４と壁部材２２、２４の位置合わせが容易になる。
【００１７】
扉部材３２、３４を壁部材２２、２４に着脱自在に固定する方法としては、例えば、面ファスナーや両面テープなどを用いた固定方法を挙げることができる。なお、図１１Ａに示すように、扉部材３２、３４を壁部材２２、２４に固定した後、扉部材３２、３４と壁部材２２、２４をさらに留め具４０で固定することもできる。このようにすれば、例えば、図１１Ｂに示すように、留め具４０に衣服を掛けたハンガーをぶら下げることができる。
【００１８】
上記した２つの壁部材２２、２４（以下「２つの第１壁部材」という。）に加えて、これら２つの第１壁部材と横寸法が同じで、これら２つの第１壁部材よりも高さが低い別の２つの壁部材（以下「２つの第２壁部材」という。）をさらに用意し、例えば、２つの第１壁部材の上側に形成される貫通孔に対して、２つの第２壁部材の下側に形成される貫通孔をそれぞれ位置合わせし、貫通孔に留め具を嵌め込むなどして２つの第１壁部材それぞれに２つの第２壁部材をそれぞれ固定してもよい。このようにすれば、間仕切装置１の壁をより高くして、より一層、プライバシーの確保を図ることができる。２つの扉部材３２、３４についても、２つの扉部材３２、３４（以下「２つの第１扉部材」という。）に加えて、これら２つの第１扉部材と横寸法が同じで、これら２つの第１扉部材よりも高さが低い別の２つの扉部材（以下「２つの第２扉部材」という。）をさらに用意し、壁部材の場合と同様に、その高さを拡張することができる。第２壁部材や第２扉部材の高さは例えば４００ｍｍ以上５００ｍｍ以下であり、特に４５０ｍｍであることが好ましい。第２壁部材や第２扉部材には半透明の部材を用いることが好ましい。
【００１９】
（組み立て方法例）
図５Ａから図９Ｂは実施形態に係る間仕切装置１の組み立て方法を説明する模式図である。各図Ａは斜視図であり、各図Ｂは平面図である。以下、図５Ａから図９Ｂを参照しつつ、実施形態に係る間仕切装置１の組み立て方法について説明する。
【００２０】
まず、図５Ａ、図５Ｂに示すように、床面に床部材１０を配置する。
【００２１】
次に、図６Ａ、図６Ｂに示すように、床部材１０の一端部の外縁を囲むように一方の壁部材２２を床面に配置する。
【００２２】
次に、図７Ａ、図７Ｂに示すように、床部材１０の他端部の外縁を囲むように他方の壁部材２４を床面に配置する。
【００２３】
次に、図８Ａ、図８Ｂに示すように、２つの壁部材２２、２４間に形成される隙間の一方を塞ぐように一方の扉部材３２を床面に配置する。
【００２４】
次に、図９Ａ、図９Ｂに示すように、２つの壁部材２２、２４間に形成される隙間の他方を塞ぐように他方の扉部材３４を床面に配置する。
【００２５】
（配置例）
図１２Ａから図１２Ｃは実施形態に係る間仕切装置の配置例を示す模式的斜視図である。図１２Ａは１つの間仕切装置１を他の間仕切装置１から孤立して配置する例を示し、図１２Ｂは２つの間仕切装置１を組み合わせて配置する例を示し、図１２Ｃは４つの間仕切装置１を組み合わせて配置する例を示す。図１２Ａから図１２Ｃに示すように、間仕切装置１は他の間仕切装置１から孤立して配置することもできるし、２つ以上組み合わせて配置することもできる。
【００２６】
図１３Ａ、図１３Ｂは、実施形態に係る間仕切装置の他の配置例を示す模式図である。図１３Ａは、２つの間仕切装置１を組み合わせて配置し、これを一方向に連結させて配置する例を示す模式的斜視図である。図１３Ｂは、図１３Ａに示すように一方向に連結して配置される複数の間仕切装置１からなる列を複数設けた場合を示す模式的平面図である。図１３Ａ、図１３Ｂに示すように、間仕切装置１は複数並べて配置することができる。
【００２７】
以上説明した実施形態によれば、１つの壁部材それ自体が分解し崩壊するということがないため、人が接触しても、外部から内部が見えにくい間仕切装置１を提供することができる。したがって、特に災害時に避難所となる体育館や公民館などにおいて、避難者のプライバシーの確保を促進することができる。
【００２８】
以上、実施形態について説明したが、これらの説明によって特許請求の範囲に記載された構成は何ら限定されるものではない。
【符号の説明】
【００２９】
１          間仕切装置
１０        床部材
１２、１４  折目部（山折り部）
１６        折目部（谷折り部）
２２、２４  壁部材
２６、２８  折目部
２７        折目部
３２、３４  扉部材
３６        折目部
４０        留め具
Ｘ          貫通孔
【図１】
2019027129.tif 000003
【図２】
2019027129.tif 000004
【図３】
2019027129.tif 000005
【図４】
2019027129.tif 000006
【図５Ａ】
2019027129.tif 000007
【図５Ｂ】
2019027129.tif 000008
【図６Ａ】
2019027129.tif 000009
【図６Ｂ】
2019027129.tif 000010
【図７Ａ】
2019027129.tif 000011
【図７Ｂ】
2019027129.tif 000012
【図８Ａ】
2019027129.tif 000013
【図８Ｂ】
2019027129.tif 000014
【図９Ａ】
2019027129.tif 000015
【図９Ｂ】
2019027129.tif 000016
【図１０】
2019027129.tif 000017
【図１１Ａ】
2019027129.tif 000018
【図１１Ｂ】
2019027129.tif 000019
【図１２Ａ】
2019027129.tif 000020
【図１２Ｂ】
2019027129.tif 000021
【図１２Ｃ】
2019027129.tif 000022
【図１３Ａ】
2019027129.tif 000023
【図１３Ｂ】
2019027129.tif 000024